(57)【要約】      （修正有）【課題】医療と会員向け各種サービスをカード１枚で統合する管理システムを提供する。【解決手段】カードシステム、医療サービスシステム、各種サービス、物流サービス、情報サービスの各システムを連携、連合した情報システムを構築することにより、上記各システムが有機的に必要に応じタイムリーにシステム運営会社で統合され、メンバーにサービスと情報が供給される。【選択図】図１３
2013114661.tif 000002
【特許請求の範囲】
【請求項１】
コミドラライフクラブ事業のアイデンティティと範囲、及Ｃｏｍｉｄｏｒａ  Ｌｉｆｅ  Ｃｌｕｂのスタンスで示すように、この請求の範囲は、地域医療計画で決められている適用範囲内の約１０ｋｍ地域でメンバー１０万人位を対象に、他都道府県にまたがらない。共済保険には３０００人のマスを対象として、図３及び図４で示す。
【請求項２】
カードシステムとしては、地域医療を原点に医療と何らかの形で接点のある範囲をビジネスシステム特許カードの請求の範囲としている。図８、図１３、図１４。
【請求項３】
事業化の範囲を図５−２「事業化のストラテジー」で明確に特許の範囲を制限している。又、事業化のコンセプトは図５−３「事業化のコンセプト」でどこまでの範囲かも規定している。
【請求項４】
基本構想ビジョンとカードシステムで、どの範囲かも規定している。図８。
【請求項５】
医療カードシステムとの連携と提携で、住民の住居を拠点として、地域コミュニティを中心としての範囲。図６−１、図６−２、図６−３及び図１０。
【請求項６】
医療システム、医療関連、健康保持、増進の相互システムの中でサービスサポートとはと定義している。図１１、図１３。
【請求項７】
カードサービスの業務提携範囲を示している。図１０、図１３、図１４。
【発明の詳細な説明】
【技術分野】
【０００１】  コンピュータ技術の発達により、全てのデータベースの管理がネットワークで出来るようになったことから、個人の各データと各医療関連施設のデータを１枚のカードに連結すると同時に情報の自動入力も可能となり、更に、利用する各施設での課金、入金、出金を同時に行えるビジネスモデルとして、医療施設、病院、専門ドクタークリニック、治療、介護、在宅介護、薬局、ドラッグストア等各施設利用において、及び各種物流等が全て統合されたシステムが完成した。
（１）医療システムの部門別縦割り診療から、カード１枚で横並列のネットワーク診療へ切り替わるシステム
（２）会員の各種サービスがカードによって統合される管理システム
（３）同一コンセプトで地域特性別に複数施設が同時にネットワークで結ばれるシステム
（４）医療と会員向け各種サービスを専用カードで統合する
（５）カード基本システムは各種サービスの情報をデータベースで連携する
（６）一般社団法人が核になり、相互扶助の精神で医療施設と会員支援を行う
（７）システム導入により、グループの運用・共済制度の導入ができる
（８）治療上、各種症状に合わせたメニューが出せるレストランなどの運営ができる
（９）クラウドを活用した各種情報カードの導入と金融決済システムの同時導入
【背景技術】
【０００２】  情報交換や情報保存には、特別な技術や施設がなくても、クラウドを利用することでグローバルに展開する施設間で、データの送信や在庫の管理などの情報通信が簡単に素早くできる環境が既に出来上がっている。しかし、検索エンジン等で医療における各フラグメント情報は手に入れることは出来るが、個人が利用する立場に立ったシステムがない。
医療分野では大学病院、専門病院、クリニックの地域医療は出来上がっているが、情報の交換はなされておらず、これらを連結する方法として地域におけるカードシステムの完成を目指した。
【先行技術文献】
【特許文献】
【０００３】  既にＰＣ関連、カードシステムで公報されている。
【発明の概要】
【発明が解決しようとする課題】
【０００４】  各々の医療施設や治療、介護、薬局など地域による要求性の違い、各施設の技術的要求性、患者の要求性がマッチせず、各情報が偏在しているため、有効な情報があっても活用する方法がなく、統合されることが難しかった。
マッチングは医療の各分野で行われたとしても、それらを統合した形態にすることが難しかった。【０００５】  ビザやマスターカードのように、支払い、売り掛け、集金のデータベースだけが金融カードとして独立しており、医療システムとは違っているので、医療システムと連動させることが難しかった。
【課題を解決するための手段】
【０００６】  上述した本発明の課題を解決するために、マルチメディカルシステムでは要求性が明確にされ、その要求に応じて提携、契約、結合、統合されるので、マッチングが非常に簡単にＰＣベースで行われる。
金融カードは患者の医療の内容とかけ離れており、コミドラライフクラブカードシステムとは全く違っている。
その統合がコミドラライフクラブカードシステムにより、データベースの統合、医療サービス、各種サービスにおける課金、集金、支払がＰＣで同時に実施されることが可能となった。【０００７】  金融カードシステム、医療サービスシステム、ドラッグストアの物流や調剤薬局などの各種のサービスシステムはそれぞれ独立したもので、各々のサービスシステムの中で、データベースは移動する。患者の個人情報は厳守される。
医療サービスシステムに、必要な金融データが送信され、各種のサービスがそれに伴うと、三位一体型として、全体システムが可能となる。
カードメンバーの個人情報は、情報開示に必要な条件のもとのみで、医療サービス、金融サービス、各種サービスに連動する。
コミドラライフクラブカードとマルチメディカルトータルサービスは、社団法人が運営し、各サービスシステムと提携し、サービスを統合するシステムである。
これは、地域密着型モデルであり、共済組合に関しては、３０００人程度のクラブメンバー内のみに対するサービスである。一般会員に関しては、１０Ｋｍ圏内で、保険診療圏及びホームドクターが訪問できる範囲となっている。
これらが実際に稼働するための資金として（１）カードに対して使用料を課金、（２）物流における課金、（３）ネットワーキング使用による課金、（４）会員数の増加に比例して、利用金額は増加する（図３２、Ｃ８）（５）共済組合としてグループ保険（３０００人まで）の制度を導入すること、又各種サービスに対する課金により、収益性を考えている。グループ保険に加入しない一般クラブメンバーは、１０万人程度で、距離範囲としては、施設中心から半径５キロ程度の範囲を考えている。【０００８】  既に医療機関では各種クレジットカード、デビットカードでの支払は行われている。しかし、その他の必要なサービス情報は移動しない。あくまでも、金銭上の問題のみである。
コミドラライフクラブメンバーカードでは、個人情報交換の条件を満たしたカードに双方向で、データが交換できる。個人情報交換には（１）パスワード（２）ＩＤナンバー（３）セキュリティコードが必要となる。当然、ハッカー等の攻撃に備えて、高度なセキュリティシステムを付帯しカードにはＩＣチップ等が入り、個人情報保護等の安全に万全を期す。【０００９】  クリニック間では医療情報連携システムはできている。
施設、経営、運営をコミドラライフクラブで統合することにより、連携を取る。図１。また、地域行政との協力も行う。図２。
Ｃｏｍｉｄｏｒａ  Ｌｉｆｅ  Ｃｌｕｂ事業のアイデンティティ（図３）は、地域密着型の医療を明確にし、住民が参加することにより、住民の連帯と住民本位の必要な医療サービスの確立が可能となる。住民にとってカードの機能の説明は、Ｃｏｍｉｄｏｒａ  Ｌｉｆｅ  Ｃｌｕｂ  Ｃａｒｄ事業のスタンス（図４）に示される。【００１０】  基本構想のビジョンとして図５−１に示すものである。又、基本構想のビジョンとカードシステムは図８に示す。【００１１】  事業化のストラテジー。図５−２に示す。【００１２】  事業化のコンセプト。図５−３に示す。【００１３】  事業環境の命題。図６−１に示す。【００１４】  事業認識のフォーマット。図６−２に示す。
通常医療と代替医療の問題点と解決方法については図９、図６に示す。
新事業の構想とコンセプトと相互関係ネットワークは図６−３に示す。
施設概要とネットワークは図７に示す。医療におけるカードシステムネットワークは図１０に示す。【００１５】  一般社団法人マルチメディカル支援センターの構成図は、情報交換システムで、図１１に示す。【００１６】  三位一体組織構築図は、図１２に示す。【００１７】  必要に応じてグループ内で相互に情報の交換ができる、医療と健康関連を相互に補完する機能を提供する、一般社団法人マルチメディカル支援センターの機能提供システム図は、図１３、図１０に示す。【００１８】  一般社団法人マルチメディカル支援センターのシステム図は、図１４に示す。【００１９】  マルチメディカル支援センターの運用には、（１）一体型運用（包括一体方式）と（２）ハブ＆スポーク方式（提携方式）の典型的２型による進展と、（３）併用型による地域密着型の発展形式があり、コミドラライフクラブカードを使用し、一体型運用か提携型運用、又は、併用型（共存タイプ）ネットワーク方式の展開を行う事が出来る。図１５に示す。一体型及びハブ＆スポーク型の相互関係の概念図を図１６に示す。
【発明の効果】
【００２０】  図１において、医療システムでは、すでに種々の情報が会員や患者の元にあるが、情報量が非常に多く、情報が信頼できるものかどうか会員や患者には知ることが難しい。
コミドラライフクラブカードシステムでは、契約により信頼できる情報が事前にデータベースとして手許にあるという状況が可能となる。その結果、事前の費用概算等も可能となる。
図６には医療サービスは種々有り、そのうち地域で可能な、しかも信頼できるサービスが全体システムの中で行われる。
図９に示すように保険診療においては各医療機関が沢山あり、それらの人たちと会員メンバーと各診療別の医者が話すことが出来、会員がそれらの情報で判断することが出来る。又、治療以外の医療全体のサービスにおいても、各情報を確実に取得することができる。更に事前に相談、予算管理も出来る。
図１０においては、カード会員に与えられる各種サービスの種類が提示されている。【００２１】  コミドラライフクラブカードシステムの医療支援システムは、電子マネーによるポイントサービスシステムを持つ。会員は自動的にポイントが使用出来るシステムになっている。又、ポイントを換金することも出来る。図１７、Ｍ１。【００２２】  会員カードは、診療券（図１８、Ｍ２）にもなり、現金カード（図１９、Ｍ３）にも、メディカルカード（図２０、Ｍ４）にもなる。  会員カードは会員証でもあり、各種サービスを受けることが出来る。図２１、Ｍ５。カードは健康カードであり、図２２、Ｍ６。図２３、Ｍ７に示す。【００２３】  このカードは在宅医療の診察証明ともなり、又在宅医療保険請求情報にもなり、訪問サービスの決済もシステムにより同時に行う事が出来る。図２４、Ｍ８。【００２４】  このカードにより、会員価格で各種サービスが受けられる。図２５、Ｃ１及び図２６、Ｃ２。
病院、クリニック、提携店、施設でのキャッシュレス決済が出来る。図２８、Ｃ４及び図２７、Ｃ３に示す。
会員カードによるポイント発行と電子決済クーポン券の発行が可能となる。図３０、Ｃ６。
又、カード提携先の形態には、図３１、Ｃ７で示される。
【図面の簡単な説明】
【００２５】
【図１】図１は、本発明の事業化推進体制を示す図
【図２】図２は、地域行政との協力図
【図３】図３は、Ｃｏｍｉｄｏｒａ  Ｌｉｆｅ  Ｃｌｕｂ事業のアイデンティティと範囲を示す図
【図４】図４は、Ｃｏｍｉｄｏｒａ  Ｌｉｆｅ  Ｃｌｕｂの事業スタンスを示す図
【図５】図５−１は、Ｃｏｍｉｄｏｒａ  Ｌｉｆｅ  Ｃｌｕｂのビジョン、図５−２は、事業化ストラテジー、図５−３は事業化のコンセプトを示す図
【図６】図６−１は、事業環境の命題、図６−２は事業認識のフォーマット、図６−３事業構想のコンセプトと相互関係を示す図
【図７】図７は、施設概要とネットワークを示す図
【図８】図８は、基本構想を示す図
【図９】図９は、保険治療と代替治療の問題点を示す図
【図１０】図１０は、医療におけるカードシステムの連携と提携を示す図
【図１１】図１１は、一般社団法人マルチメディカル支援センターの構成を示す図
【図１２】図１２は、三位一体組織構築図
【図１３】図１３は、医療と健康関連事業を相互に補完するシステムを示す図
【図１４】図１４は、一般社団法人マルチメディカル支援センターのシステムを示す図
【図１５】図１５は、一体型運用とハブ＆スポーク方式、両方式併用型の運用図
【図１６】図１６は、包括一体型とハブ＆スポーク型の概念図
【図１７】図１７は、コミドラライフクラブカードのポイントシステムを示す図
【図１８】図１８は、コミドラライフクラブカードシステムの診療報酬、支払、情報システムを示す図
【図１９】図１９は、コミドラライフクラブカード会員証
【図２０】図２０は、決済用バーコードと緊急用メディカルカードを示す図
【図２１】図２１は、会員証事前登録内容例
【図２２】図２２は、会員証の健康サービス情報内容記載例
【図２３】図２３は、会員証と健康サービス情報例
【図２４】図２４は、会員の在宅診療、訪問介護の記録例
【図２５】図２５は、各種サービス業務支援を示す図
【図２６】図２６は、会員証とサービスを示す図
【図２７】図２７は、会員証と支払システムを示す図
【図２８】図２８は、会員証の決済、換金、各種サービスを示す図
【図２９】図２９は、会員のポイントカードシステムを示す図
【図３０】図３０は、カードシステムの機能を示す図
【図３１】図３１は、カードシステムの提携先の例
【図３２】図３２は、カードシステム利用金額と登録会員数の予想を示す図
【発明を実施するための形態】
【００２６】  形態には大きくカードシステムのソフト方式と具体的施設形態がある。
前者のカードシステム形態は、一般社団法人マルチメディカル支援センターと各種施設のシステム図、図１４、にあるように、カード発行、運用、管理会社による基本作業と、図２５、Ｃ１のようにカードの基本業務をする。
カードの総合運用管理は、図２６、Ｃ２及び図２７、Ｃ３で示される。
後者の具体的施設形態は、図１５、図１６にあるように、一体型運用方式かハブ＆スポーク方式及び両者の併用型の３形態がある。
【符号の説明】
【００２７】Ｍ１〜Ｍ８はメディカルシステム
Ｃ１〜Ｃ８はカードシステム
【図１】
2013114661.tif 000003
【図２】
2013114661.tif 000004
【図３】
2013114661.tif 000005
【図４】
2013114661.tif 000006
【図５】
2013114661.tif 000007
【図６】
2013114661.tif 000008
【図７】
2013114661.tif 000009
【図８】
2013114661.tif 000010
【図９】
2013114661.tif 000011
【図１０】
2013114661.tif 000012
【図１１】
2013114661.tif 000013
【図１２】
2013114661.tif 000014
【図１３】
2013114661.tif 000015
【図１４】
2013114661.tif 000016
【図１５】
2013114661.tif 000017
【図１６】
2013114661.tif 000018
【図１７】
2013114661.tif 000019
【図１８】
2013114661.tif 000020
【図１９】
2013114661.tif 000021
【図２０】
2013114661.tif 000022
【図２１】
2013114661.tif 000023
【図２２】
2013114661.tif 000024
【図２３】
2013114661.tif 000025
【図２４】
2013114661.tif 000026
【図２５】
2013114661.tif 000027
【図２６】
2013114661.tif 000028
【図２７】
2013114661.tif 000029
【図２８】
2013114661.tif 000030
【図２９】
2013114661.tif 000031
【図３０】
2013114661.tif 000032
【図３１】
2013114661.tif 000033
【図３２】
2013114661.tif 000034